(57)【特許請求の範囲】
【請求項１】
建築物内に設けられた中空構造の区画体を貫通しかつ管体が挿通される貫通部の防火構造であって、
前記区画体は、第１の間仕切り材と、第１の間仕切り材と間隔をあけて設けられる第２の間仕切り材とを備えており、
前記第１の間仕切り材には、第１の貫通孔と第２の貫通孔が、前記第２の間仕切り材には、第３の貫通孔が設けられ、
前記第１の間仕切り材の第１の貫通孔を貫通する前記管体の周囲と、前記第２の間仕切り材の第３の貫通孔を貫通する前記管体の周囲とが耐火材で覆われており、
前記第１の貫通孔において、複数の管体が前記貫通孔に挿通され、前記複数の管体のうちの少なくとも一つの管体は前記第２の貫通孔に設置されたコンセントボックスと接続され、前記複数の管体のうちの少なくとも一つの管体は前記第３の貫通孔に挿通されている防火構造。
【請求項２】
上記構成の防火構造において、前記第１の間仕切り材上に突き出る前記管体の外周面及び前記第２の間仕切り材上に突き出る前記管体の外周面のいずれかに、熱膨張性耐火シートが設けられている請求項１記載の防火構造。
【請求項３】
上記構成の防火構造において、耐火材が、前記第１の間仕切り材の第１の貫通孔内及び前記第２の間仕切り材の第３の貫通孔内に充填されている請求項１または請求項２記載の防火構造。
【請求項４】
上記構成の防火構造において、耐火材によって、前記第１の間仕切り材の第１の貫通孔内及び前記第２の間仕切り材の第３の貫通孔内が閉塞されている請求項１〜３のいずれかに記載の防火構造。
【発明の詳細な説明】
【技術分野】
【０００１】
本発明は、建築物の中空構造の区画体における貫通部の防火構造に関する。
【背景技術】
【０００２】
建築物内に設けられた中空構造の区画体において、ケーブルや給水管などの管体を階上から階下又はその逆に通したり壁を通したりするためには、区画体に貫通部を形成して、この貫通部に管体を挿通する必要がある。この区画体の貫通部に防火性能を与えるためには、例えば貫通部に鋼製スリーブなどの不燃材を挿通したうえで貫通部の防火措置を行い、管体を鋼管スリーブの中を通して貫通部を貫通させていた。
【発明の概要】
【発明が解決しようとする課題】
【０００３】
しかし、従来の防火構造では、図２に示すように区画体の１つの貫通部に１つの鋼製スリーブを設けていたため、施工作業が煩雑であるという課題があった。
【０００４】
本発明は、上記課題に着目してなされたもので、施工作業が簡易な建築物の区画体における貫通部の防火構造を提供することを目的とする。
【課題を解決するための手段】
【０００５】
本発明の上記目的は、建築物内に設けられた中空構造の区画体を貫通しかつ管体が挿通される貫通部の防火構造であって、前記区画体は、第１の間仕切り材と、第１の間仕切り材と間隔をあけて設けられる第２の間仕切り材とを備えており、前記第１の間仕切り材を貫通する前記管体の周囲と、前記第２の間仕切り材を貫通する前記管体の周囲とが耐火材で覆われており、少なくとも１つの貫通部において、複数の管体が貫通部に挿通されている防火構造によって達成される。
【０００６】
上記構成の防火構造において、前記第１の第１の間仕切り材上に突き出る前記管体の外周面及び前記第２の間仕切り材上に突き出る前記管体の外周面のいずれかに、熱膨張性耐火シートが設けられていることが好ましい。
【０００７】
また、上記構成の防火構造において、耐火材が、前記第１の間仕切り材の貫通孔内及び前記第２の間仕切り材の貫通孔内に充填されていることが好ましい。
【０００８】
また、上記構成の防火構造において、耐火材によって、前記第１の間仕切り材の貫通孔内及び前記第２の間仕切り材の貫通孔内が閉塞されていることが好ましい。
【発明の効果】
【０００９】
本発明の建築物の区画体における貫通部の防火構造によれば、施工作業が簡易な防火構造となる。
【図面の簡単な説明】
【００１０】
【図１】本発明の一実施形態に係る防火構造の概略構成を示す断面図である。
【図２】従来の防火構造の概略構成を示す断面図である。
【発明を実施するための形態】
【００１１】
以下、本発明の実施形態について添付図面を参照して説明する。本発明の防火構造は、複層建築物の壁、床、天井などの区画体に施工され、区画体に形成された貫通部から火災時に炎や熱が漏洩することを防止するためのものである。
【００１２】
図１は、本発明の一実施形態に係る防火構造を示しており、区画体に設けられた貫通部に配管やケーブルなどの管体が挿通された状態を説明するための模式部分断面図である。なお、図１(ａ)で図示した例は、貫通部に熱膨張性耐火シートを用いた例であり、図１(ｂ)で図示した例は、熱膨張性耐火シートを用いない例である。なお、図１の実施形態は、コンセントボックス４とケーブル電線管３を配置した例である。
区画体は、第１と第２の間仕切り材（壁５）を備えている。上記間仕切り材としては、ＡＬＣ板、プレキャストコンクリート板などの耐火性の高い素材を用いることができる。また、上記間仕切り材として、強化石膏ボード、ケイ酸カルシウム板、石膏ボード又はケイ酸カルシウム板にセラミックブランケットやロックウールフェルトを積層させた積層板などを用いることができる。なお、壁５の周囲には、図示は省略しているが、複数の根太、梁、野縁、野縁受けなどが配置されている。
【００１３】
区画体は、複数の壁材５で囲まれる中空空間を有する中空構造となっている。複数の壁材５には、管体（ケーブル電線管３）を挿通するための貫通孔がそれぞれの壁５に形成されており、両貫通孔及び中空空間により、貫通部が構成されている。
【００１４】
貫通部に挿通される管体としては、例えば、冷媒管、熱媒管、水道管、下水管、注排水管、ガス管、暖冷房用媒体移送管、通気管、電線ケーブル、光ファイバーケーブルなどが挙げられる。
【００１５】
図１(ａ)で図示した例では、壁５上に突き出るケーブル電線管５の外周面に熱膨張性耐火シート（シート１）が設けられており、ケーブル電線管５の壁５から室内空間側に露出した根元までの貫通孔内に、耐火材（パテ２）が設けられている。
【００１６】
熱膨張性耐火シートは、本実施形態では所定の厚み（例えば０．１ｍｍ〜７．０ｍｍ）を有するシート状あるいは板状にした熱膨張性黒鉛を含有する樹脂シートであり、熱膨張性耐火シートに孔をあけて管体を貫通させ、樹脂シート自体の粘着力かあるいは粘着テープを予め熱膨張性耐火シートに貼り付けることにより、管体の外周面を被覆しつつ、壁５の管体の外周面に固定することができる。この熱膨張性耐火シートによる被覆は、貫通孔が熱膨張性耐火シートによって隠されていなくてもよいが、貫通孔が熱膨張性耐火シートによって隠されていることが好ましい。
【００１７】
なお、壁５の貫通孔と管体との間の隙間に充填される耐火材は、シーリング剤（コーキング剤）、耐火パテ、セメントモルタルなどの不燃材、石膏ボード用目地処理材などを挙げることができる。なお、耐火材は、一方の壁５の貫通孔と管体との間の隙間に加えて、他方の壁５の貫通孔と管体との間の隙間にも充填されていることが好ましいが、いずれか一方の壁５の貫通孔と管体との間の隙間にだけ充填されていてもよい。
【００１８】
なお、図示例では、壁５の貫通孔と管体との間の隙間を隠すために、パテ２を貫通孔に充填して上記隙間を埋めているが、必ずしもパテ２を貫通孔に充填する必要はなく、貫通孔入口付近の管体の周囲や貫通孔出口付近の管体の周囲に設けることで、貫通孔と管体との間の上記隙間を隠すようにしてもよい。
【００１９】
上述した耐火材を用いた区画体の防火構造では、壁５の貫通孔が耐火材によって被覆されているので、例えば壁５の外側の室内空間で火災が発生して、管体が溶融・焼失したとしても、耐火材が火災時の熱によってその厚さ方向である管体の径方向に熱膨張等により火炎を防ぎ、管体の溶融・焼失によりできる空間が閉塞される。また、熱膨張した耐火材によって、貫通孔が遮蔽されるうえ、貫通孔と管体との間の隙間は耐火材により埋められている。よって、区画体の貫通孔及び管体を完全に閉塞できるため、火炎や熱が貫通孔や管体から他方の壁５の外側にある室内空間に侵入して、延焼することを防ぐことができる。
【００２０】
また、耐火パテにより、壁５の貫通孔と管体との間の隙間が隠されるので、上記隙間を通して双方の室内空間を見えないようにすることができる。
【００２１】
さらに、耐火材は、室内空間側から管体が貫通している貫通孔に充填するだけでよく容易に設置できるうえに、複雑な管体形状であったり、複数の管体が貫通部に挿通されていたとしても、管体の形状などに合わせて耐火材を設けることができるので、従来の鋼製スリーブを用いる場合と比べて、簡易な施工作業で良好な防火性能を発現できる。加えて、鋼製スリーブを用いないので、切断加工した後の不要な鋼管の残り屑を廃棄する必要がなく、施工コストも低減できる。なお、本発明では複数の管体が貫通部に挿通されているので、複数の管体をまとめて耐火材で被覆することができ、複数の管体をそれぞれ個別に耐火材で被覆する場合に比べて効率よく施工できる。
【００２２】
以上、本発明の一実施形態について説明したが、本発明は上記実施形態に限定されるものではなく、本発明の趣旨を逸脱しない限りにおいて種々の変更が可能である。
【００２３】
例えば、上記実施形態の防火構造において、壁５上の貫通孔と管体との隙間に耐火材を設けているが、上記構成の防火構造において、前記第１の第１の間仕切り材上に突き出る前記管体の外周面及び前記第２の間仕切り材上に突き出る前記管体の外周面のいずれかに、熱膨張性耐火シートが設けてもよい。これにより、より良好な防火性能を発現できるが、図１(a)には、２つの壁５から突き出るそれぞれの管体の外周面のいずれか一方に対して熱膨張性耐火シートを設けられているが、２つの壁５から突き出るそれぞれの管体の外周面のいずれに対しても熱膨張性耐火シートを設けていてもよい。これにより、より確実な防火性能を発現することができる。
【００２４】
熱膨張性耐火シートは、所定の厚みを有するシート状ないしは板状（例えば０．１ｍｍ〜７．０ｍｍ）であり、管体を挿通できる大きさの開口が形成されている。熱膨張性耐火シートは、壁５の貫通孔よりも一回り大きく形成されており、その形状は、正方形状や円形状など、種々の形状とすることができる。熱膨張性耐火シートは、壁５の貫通孔を遮蔽するように壁５の表面に敷設され、粘着剤、接着剤の他、ねじなどの物理的な固定手段を用いて壁５上に固定される。また、熱膨張性耐火シートには、開口から外周縁に達する切れ込み（図示せず）が設けられている。これにより、区画体の貫通部に挿通されている管体の周囲に対して熱膨張性耐火シートを設置できる。つまり、管体が区画体の貫通部に既に挿通されている場合に、熱膨張性耐火シートを開いた状態として、管体を開口に位置させ、その後、熱膨張性耐火シートを閉じて、壁５上に固定することで、管体の周囲に熱膨張性耐火シートを設けることができる。
【００２５】
また、上記構成の防火構造において、耐火材が、前記第１の間仕切り材の貫通孔内及び前記第２の間仕切り材の貫通孔内に充填されていることが好ましい。これにより、より確実な防火性能を発現することができる。
【００２６】
また、上記構成の防火構造において、耐火材によって、前記第１の間仕切り材の貫通孔内及び前記第２の間仕切り材の貫通孔内が閉塞されていることが好ましい。これにより、より確実な防火性能を発現することができる。  また、貫通孔と管体との間の隙間が隠されるので、上記隙間を通して双方の室内空間を見えないようにすることができる。
【符号の説明】
【００２７】
１    熱膨張性耐火シート
２    耐火パテ（耐火材）
３    ケーブル電線管（管体）
４    コンセントボックス
５    壁（間仕切り材）
【図１】
0006721380.tif 000002
【図２】
0006721380.tif 000003